(57)【特許請求の範囲】
【請求項１】
コンロ本体の開放した上面に天板が取り付けられ、前記本体に固定されたガスバーナが前記天板に設けられたバーナ用開口から前記天板の上方に突出し、前記バーナ用開口の周縁と前記ガスバーナの外周面との間の隙間を覆うバーナリングが前記天板上に配設され、前記ガスバーナの周縁に備える点火プラグや炎検知器が前記バーナ用開口を通って前記バーナリングよりも上方に突出し、前記バーナリングの周縁に五徳が配設されるガスコンロにおいて、
前記バーナ用開口を通って前記バーナリングの下端よりも上方に突出する係合突起を前記コンロ本体に設け、さらに、前記バーナリングの下端よりも上方で前記係合突起と係合する係合部を前記バーナリングに設け、前記係合突起を前記係合部と係合させることにより、前記バーナリングが回り止め状態で前記天板上に取り付けられており、
前記バーナリングの外周縁より垂下形成された立下り部の下端が前記天板上に載置され、前記立下り部の下端よりも上方に位置する前記バーナリングの内周縁から水平方向または水平方向よりも上方に向けて爪部が形成されており、前記係合部が、前記爪部に設けた係止凹部または係止孔により構成されることを特徴とするガスコンロ。
【請求項２】
前記立下り部の下端には凹凸が形成されておらず同一平面に形成されていることを特徴とする請求項１に記載のガスコンロ。
【請求項３】
前記バーナリングの外周縁には立下り部が垂下形成されており、さらに、前記バーナ用開口の周縁部から上方に立ち上がり縁が形成されており、
前記バーナリングの前記立下り部よりも内径側部分が前記立ち上がり縁の上端の上に載置され、前記立下り部と前記立ち上がり縁とが重なるオーバーラップ部が前記バーナ用開口の周方向に亘り形成されることを特徴とする請求項１または２に記載のガスコンロ。
【発明の詳細な説明】
【技術分野】
【０００１】
本発明は、一般家庭で使用するガスコンロに関するものである。
【背景技術】
【０００２】
従来、ガスコンロ本体の上面にトッププレートを被着すると共にトッププレートに設けた窓穴にガスコンロ本体のコンロ用バーナを挿通し、コンロ用バーナと上記窓穴縁との間にこれらの間を塞ぐ円環状のバーナリングを配置し、バーナリングをコンロ用バーナやトッププレートの窓穴に対して回転しないように所定位置に固定的に取り付けて、常に安定した防水性能を維持できるようにしたガスコンロが知られている（例えば特許文献１）。
【先行技術文献】
【特許文献】
【０００３】
【特許文献１】特開２００２−３３３１４６号公報
【発明の概要】
【発明が解決しようとする課題】
【０００４】
ところで、上記のような従来のガスコンロにおいて、トッププレートがガラスなどの高剛性の材料により構成されており、また、コンロ用バーナがアルミダイキャストなどの高剛性の材料により構成されている場合には、バーナリングをコンロ用バーナやトッププレートの窓穴に対して回転しないように所定位置に固定的に取り付けることで、バーナリングとコンロ用バーナとの接触、および、バーナリングとトッププレートの窓穴周縁との接触を水密的に行うことで、常に安定した防水性能を維持できるようにできるものである。
【０００５】
しかし、トッププレートがフッ素コーティングした鋼板のように、剛性がガラス程高くない材料により構成されている場合や、コンロ用バーナが薄板のステンレス鋼板のプレス加工により製作される場合など、コンロ用バーナの剛性がアルミダイキャスト製バーナ程高くない場合には、バーナリングとコンロ用バーナとの接触、または、バーナリングとトッププレートの窓穴周縁との接触を水密的に行うことが困難となることが考えられ、安定した防水性能を維持できないおそれがある。
【０００６】
このような場合、コンロ用バーナと上記トッププレートの窓穴周縁との間にこれらの間を塞ぐ円環状のバーナリングを、該バーナリングの外周縁が上記トッププレートの窓穴周縁の上面に重なるように上記トッププレート上に載置し、上記バーナリングの上記トッププレート上における前後左右方向の位置決めを、上記コンロ用バーナの外周壁と上記バーナリングの内周端との接触により行うことで、調理時の煮汁のコンロ本体内への浸入を極力制限する構成を採用することがある。
【０００７】
なお、上記バーナリングは上記コンロ用バーナとの前後左右方向の位置決めされるものであるから、調理用鍋を載置するための五徳の上記トッププレート上における前後左右方向の位置決めを上記バーナリングによって行うようにすると、上記五徳と上記コンロ用バーナとの上記トッププレート上における前後左右方向の位置決めが行われることになり都合がよい。
【０００８】
一方、コンロ用バーナ周辺には、燃料ガスへの点火時に放電を行う点火プラグや、コンロ用バーナへの着火検出用の炎検知器が配置されるのであるが、当然上記バーナリングには上記点火プラグや上記炎検知器との干渉を回避するための凹部や孔を設けておき、上記バーナリングの上方に突出するように上記点火プラグや上記炎検知器を配設しておく必要があるが、鍋振り等により上記五徳とともに上記バーナリングに回転方向の力が加えられた場合、上記バーナリングの凹部や孔に配設された点火プラグや炎検知器が損傷したり、ガスバーナの炎孔群と上記点火プラグや上記炎検知器との位置関係がずれたりするおそれがある。
【０００９】
このような場合、上記バーナリングから下方に突出する爪を垂下形成しておき、この爪を係止する係止部を上記天板やコンロ本体に設けることで上記バーナリングをコンロ用バーナと回り止め状態とすることができ、上記バーナリングの凹部や孔に配設された点火プラグや炎検知器が損傷したり、ガスバーナの炎孔群と上記点火プラグや上記炎検知器との位置関係がずれたりすることが防止できるものであるが、ガスコンロの掃除などの際、取り外した上記バーナリングを上記天板上に仮置きした場合など、バーナリングから下方に突出する爪の先端で上記天板を損傷するおそれがあるものであり、特に、天板がフッ素樹脂などによりコーティングされる場合には改善が望まれるものであった。
【００１０】
本発明は、上記に鑑みて成されたものであり、その目的は、天板に設けられたバーナ用開口の周縁と前記バーナ用開口から突出するガスバーナの外周面との間の隙間を覆うバーナリングを備えるガスコンロにおいて、バーナリングの回転による不都合の発生を防止するガスコンロであり、さらに、ガスコンロの掃除などの際に、取り外したバーナリングを天板上に仮置きした場合などにも、バーナリングにより天板を損傷するおそれがないガスコンロを提供することにある。
【課題を解決するための手段】
【００１１】
本発明の特徴は、コンロ本体の開放した上面に天板が取り付けられ、前記本体に固定されたガスバーナが前記天板に設けられたバーナ用開口から前記天板の上方に突出し、前記バーナ用開口の周縁と前記ガスバーナの外周面との間の隙間を覆うバーナリングが前記天板上に配設され、前記ガスバーナの周縁に備える点火プラグや炎検知器が前記バーナ用開口を通って前記バーナリングよりも上方に突出し、前記バーナリングの周縁に五徳が配設されるガスコンロにおいて、
前記バーナ用開口を通って前記バーナリングの下端よりも上方に突出する係合突起を前記コンロ本体に設け、さらに、前記バーナリングの下端よりも上方で前記係合突起と係合する係合部を前記バーナリングに設け、前記係合突起を前記係合部と係合させることにより、前記バーナリングが回り止め状態で前記天板上に取り付けられており、前記バーナリングの外周縁より垂下形成された立下り部の下端が前記天板上に載置され、前記立下り部の下端よりも上方に位置する前記バーナリングの内周縁から水平方向または水平方向よりも上方に向けて爪部が形成されており、前記係合部が、前記爪部に設けた係止凹部または係止孔により構成される点にある。
【００１２】
上記ガスコンロによれば、バーナリングに設けた係合部がコンロ本体に設けた係合突起と係合することにより、バーナリングが回り止め状態で前記天板上に取り付けられる。したがって、鍋振り等で五徳とともにバーナリングに回転方向の力が加えられてもバーナリングの不用意な回転が阻止される。これにより、ガスバーナ周縁に備えられておりバーナリングの切欠きや挿通孔を通ってバーナリングよりも上方に突出することになる点火プラグや炎検知器が、上記切欠きや挿通孔の周縁との干渉により損傷を受けることを防止することができる。
【００１３】
また、点火プラグや炎検知器とガスバーナの炎孔群との位置関係のずれが防止されるものとなり、点火や燃焼検知に不具合が生じることもない。
【００１４】
上記ガスコンロにおいて、前記バーナリングの外周縁には立下り部が垂下形成されており、さらに、前記バーナ用開口の周縁部から上方に立ち上がり縁が形成されており、前記バーナリングの前記立下り部よりも内径側部分が前記立ち上がり縁の上端の上に載置され、前記立下り部と前記立ち上がり縁とが重なるオーバーラップ部が前記バーナ用開口の周方向に亘り形成されることが好ましい。
【００１５】
バーナリングの立下り部よりも内径側部分が、天板のバーナ用開口の周縁部から上方に立ち上がる立ち上がり縁の上端の上に載置されるように構成することで、バーナリング外周縁の立下り部の下端と天板の上面との間に間隙を設けることができるから、バーナリング外周縁の立下り部の下端により天板の上面を傷付けることを防止できる。
【００１６】
しかも、バーナリング外周縁の立下り部と立ち上がり縁と天板のバーナ用開口の周縁部から上方に立ち上がる立ち上がり縁とが重なるオーバーラップ部を設けることで、バーナリング外周縁の立下り部と立ち上がり縁と天板のバーナ用開口の周縁部から上方に立ち上がる立ち上がり縁との間の空間には多少の液体を保持することができるから、鍋から煮汁が吹きこぼれた場合にも、と天板のバーナ用開口からコンロ本体に煮汁が浸入することを抑制できるものとなる。
【００１８】
バーナリングの外周縁より垂下形成された立下り部の下端よりも上方に位置するバーナリングの内周縁から水平方向または水平方向よりも上方に向けて爪部が形成されているから、清掃などのとき取り外したバーナリングを天板上に仮り置きしたときには、上記立下がり部の下端だけが天板と接触することになるから前記爪部が天板と接触することに起因して天板を損傷することが防止できる。
【００１９】
この場合、前記立下り部の下端には凹凸が形成されておらず同一平面上に形成されていることが好ましく、前記立下り部の下端が同一平面上にない場合、すなわち、前記立下り部の下端に凹凸がある場合に比べて、上記立下がり部の下端と天板とが接触する位置における天板の磨耗や損傷が抑制されるものとなる。
【発明の効果】
【００２０】
以上詳述したように、本発明に係るガスコンロよれば、本体から天板よりも上に突出する係合突起と、前記バーナリングの下端よりも上方で係合する係合部を前記バーナリングに設け、前記係合突起を前記係合部と係合させることにより、前記バーナリングが回り止め状態で前記天板上に取り付けられているから、バーナリングの回転による不都合の発生を防止することができるとともに、ガスコンロの掃除などの際に、取り外したバーナリングを天板上に仮置きした場合などにも、バーナリングにより天板を損傷を防止することができる。
【図面の簡単な説明】
【００２１】
【図１】本発明の実施形態に係るガスコンロの斜視図である。
【図２】本発明の実施形態に係るガスコンロのコンロバーナ付近の断面図である。
【図３】本発明の実施形態に係るガスコンロのコンロバーナ付近の平面図である。
【図４】本発明の実施形態に係るガスコンロに用いられるバーナリングの一例を示す斜視図である。
【図５】本発明の実施形態に係るガスコンロのコンロバーナ付近の斜視図である。
【図６】本発明の別実施形態に係るガスコンロのコンロバーナ付近の断面図である。
【発明を実施するための形態】
【００２２】
以下、図面を参照しながら、本発明の実施の形態を具体的に説明する。
図１に示すように、本実施の形態のガスコンロは、上方開放の矩形箱体であるコンロ本体１０内に二口のガスバーナ２が収容され、コンロ本体１０の上方開放部は薄板の金属板からなる天板３で被覆された構成を有している。天板３は、コンロ本体１０の周縁に係止され、天板３にはガスバーナ２に対応する各位置にバーナ用開口３１（図２参照）が形成されている。
【００２３】
本実施の形態のガスコンロは左右２つのバーナ用開口３１（図２参照）にそれぞれガスバーナ２を備えるものであるが、左右共に同様の構造を有するもので、以下、一方のガスバーナ２の周辺の構成について説明する。なお、他方のガスバーナ２の周辺も一方のガスバーナ２の周辺と同様に構成される。
【００２４】
ガスバーナ２は、混合管（図示せず）の下流端部から上方に続くバーナ本体２１と、バーナ本体２１の上に載置されるバーナキャップ２２とを具備し、バーナ本体２１とバーナキャップ２２との間の外周に多数の炎孔からなる炎孔２３（図４参照）が環状に形成されている。バーナキャップ２２の中央部には鍋底温度センサ２４がバーナキャップ２２よりも上方に突設している。
【００２５】
図３に示すように、バーナ本体２１の外周部には、点火プラグ３２及び炎検知器３３がそれぞれ配設されている。図２に示すように、ガスバーナ２は、バーナ本体２１の下端がコンロ本体１０内に固定されたバーナ固定台２５にネジ止め（図示せず）で固定されることにより、コンロ本体１０内に固定されている。
【００２６】
天板３のバーナ用開口３１の周縁とバーナ本体２１の外周面との間には、リング状の隙間ＣＲ（図２、図５参照）が形成されることになる。そして、このリング状の隙間ＣＲを上から覆うようにリング状のバーナリング５の外周縁に形成された立下り部５４の下端が天板３の表面に設置される。バーナリング５には、図３に示すように、点火プラグ３２及び炎検知器３３に対応する各位置に点火プラグ３２及び炎検知器３３を配置させる切欠き５１，５２が形成されている。
【００２７】
さらに、図４に示すように、バーナリング５の内周縁下端から外径側に向けて水平方向に、後述する係止凹部５０ａを有する一対の爪部５０が形成されている。
【００２８】
天板３上には、バーナリング５を囲むように五徳６が載置される。五徳６は、図２に示すように、バーナリング５の外周に配置されるリング状の五徳枠６１と、これに取り付けられている複数の五徳爪６２とから構成される。五徳爪６２のうち、一対の対向する五徳爪６２の下辺部が内方へ突出した突出部６３（図１参照）を有しており、これら突出部６３はバーナリング５の外周に設けられた相互に対向する一対の凹部５３（図３参照）に各々係止される。これにより、五徳６は、バーナリング５に対して回り止め状態となるものであるが、バーナリング５の外周形状が、周方向において互いに対向する部分を略同じ円弧としてこの両円弧の端部管を直線で結んだ略楕円形状としてあり、五徳枠６１の形状をバーナリング５の外周に沿う形状としてあり、五徳枠６１内縁が五徳枠６１の外縁に沿う方向に五徳６を天板３上にセットすることで、突出部６３の位置が凹部５３の位置に来るように構成される。したがって、突出部６３の位置と凹部５３の位置との相互の位置関係を意識しないで、五徳６を正規の位置にセットできるものである。
【００２９】
図２、図４に示すように、バーナ用開口３１に対応する天板３の下方のコンロ本体１０内のバーナ固定台２５から上方に向けてバーナ用開口３１を通って、その先端が前記バーナリング５の下端よりも上方に突出する一対の係合突起１が突設されている。一対の係合突起１は、天板３のバーナ用開口３１に対応する位置において、バーナ固定台２５に立設された柱状体である。
【００３０】
図３に示すように、バーナリング５の内周縁の形状は、バーナ本体２１の外周縁に沿う円弧の一部を点火プラグ３２及び炎検知器３３が挿通できるように一部を拡径させた凹所付き円形状である。そして、拡径させた部分を除くバーナリング５の内周縁の上記円形状の中心は、バーナ本体２１の中心に一致している。また、バーナリング５の外周縁に形成されている立下り部５４の下端には凹凸がなく同一平面となるように形成してある。
【００３１】
図２、図５に示すように、一対の係合突起１がリング状の隙間ＣＲからその一部を天板３より上方に突出させており、後述のように、バーナリング５の内周縁下端から外径側に向けて水平方向に形成されている一対の爪部５０に備える係止凹部５０ａを上記一対の係合突起１に係止することでバーナリング５が回り止め状態で天板３上に載置させることができるように構成されている。
【００３２】
つまり、コンロ本体１０内にバーナ固定台２５が固定され、バーナ固定台２５にガスバーナ２が固定されると共に一対の係合突起１が固定される。このとき、バーナ本体２１の上部外周に形成される環状の炎孔２３の配列円の中心が一対の係合突起１の中間点と一致するように、ガスバーナ２と一対の係合突起１とがバーナ固定台２５に固定される。
【００３３】
そして、天板３の周縁をコンロ本体１０の周縁に係止させて、コンロ本体１０の上方開放部を閉塞したコンロの使用状態では、バーナ用開口３１からガスバーナ２のバーナ本体２１、バーナキャップ２２、点火プラグ３２、及び炎検知器３３は天板３の上方に突出した状態となる。
【００３４】
この状態で、バーナ用開口３１の周縁とバーナ本体２１との間のリング状の隙間ＣＲを覆うように、天板３上からバーナリング５を載置するときに、バーナリング５の内周縁下端から水平方向外径側に向けて突説された爪部５０の係止凹部５０ａを一対の係合突起１に係止させると、一対の係合突起１の開口部１１の中心がバーナリング５の中心と一致することになる。したがって、点火プラグ３２及び炎検知器３３は、バーナリング５の切欠き５１，５２にそれぞれ挿通される。
【００３５】
このようにしてバーナリング５が一対の係合突起１に位置決め状態で設置された後、五徳６がバーナリング５の周囲に設置されるものであるが、五徳６の五徳爪６２の突出部６３がバーナリング５の外周に形成されている凹部５３に係止される。このようにして、五徳爪６２を所定位置に連結しているリング状の五徳枠６１の中心がバーナリング５の中心に一致し、五徳爪６２がバーナリング５の周方向に位置決めされる。
【００３６】
上記実施形態のガスコンロでは、バーナ本体２１が固定されるバーナ固定台２５に突設されている係合突起１に、バーナリング５の下端６４より上方に位置するバーナリング５の内周縁下端から外径側の水平方向に形成される爪部５０が備える係止凹部５０ａが係合することで、バーナ本体２１およびバーナキャップ２２および炎孔２３および点火プラグ３２および炎検知器３３とバーナリング５との位置決めが行われるものであるから、天板３の設置位置が多少ずれていても、爪部５０の係止凹部５０ａを一対の係合突起１と係合させることができる。
【００３７】
これにより、五徳爪６２と炎孔２３との位置ずれに起因する燃焼効率の悪化などの不都合が回避でき、ガスバーナ２の燃焼性能を向上させることができる。
【００３８】
さらに、バーナリング５の爪部５０の係止凹部５０ａが一対の係合突起１と係合しているから、バーナリング５は天板３及び一対の係合突起１に対して回り止め状態で位置決めされ、鍋振り等で五徳６とともにバーナリング５に回転方向の力が加えられてもバーナリング５が不用意に回転することが阻止される。したがって、バーナリング５に設けた切欠き５１，５２に配置される点火プラグ３２や炎検知器３３の損傷を防止することができる。
【００３９】
また、天板３上にバーナリング５を載置する際に天板３上に当接する、バーナリング５の外周に形成した立下り部５４の下端には凹凸が形成されておらず同一平面に形成されており、しかも、係止凹部５０ａを具備する爪部５０はバーナリング５の外周に形成した立下り部５４の下端より上方に位置するから、コンロの清掃を行う際に、取り外したバーナリング５を天板３上に仮り置きした時にも、バーナリング５によって天板３を傷つけたり磨耗させたりすることが抑制されるものである。しかも、一対の係合突起１は、バーナ用開口３１を通して天板３の上方に突設されているから、バーナリング５を取り外して天板３を拭き掃除する際に邪魔にならない。
〔別実施例〕
【００４０】
上記実施形態では、バーナリング５を天板３上に載置した時に、バーナリング外周の立下り部５４の下端が天板３と当接する構成としたが、図６に示すように、バーナリング外周の立下り部５４を垂下形成することに加え、バーナ用開口３１の周縁部から上方に向けて立ち上がる立ち上がり縁３４を形成しておき、バーナリング５のバーナリング外周の立下り部５４よりも内径側部分が立ち上がり縁３４の上端の上に載置され、そして、バーナリング外周の立下り部５４と立ち上がり縁３４とが重なるオーバーラップ部５５がバーナ用開口３１の周方向に亘り形成されるように構成してもよい。
【００４１】
このように構成した場合、バーナリング外周の立下り部５４と天板３とが当接しないようにすることができ、バーナリング外周の立下り部５４による天板３の磨耗や損傷の防止をより一層確実にすることができる。
【００４２】
また、バーナリング外周の立下り部５４と天板３との間隙５６を１ｍｍ程度とすることで、調理中の鍋から煮こぼれが生じた場合にも、煮汁が上記間隙５６を水封することで間隙５６に貯留されて、バーナ用開口３１に流入する煮汁の量を減少させることができ、さらに、煮汁がオーバーラップ部５５を水封することによってもオーバーラップ部５５に貯留されてバーナ用開口３１に流入する煮汁の量を一層減少させることが可能となる。
【符号の説明】
【００４３】
１      係合突起
１０    コンロ本体
２      ガスバーナ
２１    バーナ本体
２２    バーナキャップ
２３    炎孔
２４    鍋底温度センサ
２５    バーナ固定台
３      天板
３１    バーナ用開口
３２    点火プラグ
３３    炎検知器
３４    立ち上がり縁
５      バーナリング
５０    爪部
５０ａ  係止凹部（係合部）
５１    切欠き
５２    切欠き
５３    凹部
５４    バーナリング外周の立下り部
５５    オーバーラップ部
５６    立下り部と天板との間隙
６      五徳
６１    五徳枠
６２    五徳爪
６３    突出部
ＣＲ    リング状の隙間
【図１】
0005822600.tif 000002
【図２】
0005822600.tif 000003
【図３】
0005822600.tif 000004
【図４】
0005822600.tif 000005
【図５】
0005822600.tif 000006
【図６】
0005822600.tif 000007